(57)【要約】【課題】隠し図柄の発現に意外性のある図柄シート（被観察体）を提供する。【解決手段】図柄シート１０において、肉眼では視認困難な同一の微細図柄１１が面上の少なくとも一部に二次元的に多数配列されている。レンズ２が二次元的に多数配列されているレンズシート３を図柄シート１０と組み合わせることにより、前記微細図柄１１と相似する拡大図柄１１ａが視認可能となる。微細図柄は、二種類以上のものを互いに重なり合うように二次元的に配列することもできる。【選択図】    図１
2004317636.tif 000002
【特許請求の範囲】
【請求項１】
肉眼では視認困難な同一の微細図柄が面上の少なくとも一部に二次元的に多数配列されていて、レンズが二次元的に多数配列されている視認器具によって前記微細図柄と相似する拡大図柄が視認可能となる、被観察体。
【請求項２】
前記面上に、肉眼で視認可能な図柄を備え、該肉眼可視図柄を有する領域と前記微細図柄を有する領域の双方が、いずれも、イエロー、マゼンタ、シアン、ブラックの四色のうちの少なくとも一つの色版を用いて形成され、前記肉眼可視図柄を有する領域と前記微細図柄を有する領域を形成するための互いに異なる線数を合体させて作った版を印刷に使用して形成した、請求項１に記載の被観察体。
【請求項３】
前記微細図柄として、それぞれが二次元的に多数配列された第一の微細図柄と第二の微細図柄とを備え、前記第一の微細図柄と前記第二の微細図柄が、互いに重なり合うように配置されている、請求項１又は２に記載の被観察体。
【請求項４】
前記第一の微細図柄が、前記レンズの配列ピッチとは異なるピッチで配列され、前記第二の微細図柄が、前記レンズの配列ピッチと同一のピッチで配列され、さらに、前記第一の微細図柄の配列方向と前記第二の微細図柄の配列方向とが互いに同一とされている、請求項３に記載の被観察体。
【請求項５】
前記第一の微細図柄の配列方向と前記第二の微細図柄の配列方向とが互いに異なっていて、前記第一の微細図柄が、前記視認器具を前記被観察体に対して第一の角度で組み合わせた時に視認可能となり、前記第二の微細図柄が、前記視認器具を前記第一の角度とは異なる第二の角度で前記被観察体に対して組み合わせた時に視認可能となる、請求項３に記載の被観察体。
【請求項６】
前記第一の微細図柄が、前記レンズの配列ピッチより小さいピッチで配列され、前記第二の微細図柄が、前記レンズの配列ピッチより大きいピッチで配列されている、請求項３に記載の被観察体。
【請求項７】
前記第一の微細図柄の配列方向と、前記第二の微細図柄の配列方向とが、互いに同一とされている、請求項６に記載の被観察体。
【発明の詳細な説明】
【０００１】
【発明の属する技術分野】
本発明は、肉眼では見えない図柄が所定の器具を用いることにより見えるようになる被観察体に関するものである。本発明に係る被観察体は、限定はされないが、例えば、玩具、販売促進用品、教材等に適用できるほか、広告手段、真偽判定手段として用いることもできる。
【０００２】
【従来の技術】
教育玩具等に適用して好適な装飾体として、万線フィルムと言われるフィルムを重ねると絵（隠し図柄）が出てくる形式のものが知られている（例えば、非特許文献１参照）。
【０００３】
【非特許文献１】
共同印刷株式会社編「特殊印刷はやわかり図鑑」
（社）日本印刷技術協会  ２００１年１０月発行
【０００４】
【発明が解決しようとする課題】
前記従来のものにおいては、確かに、前記万線フィルムを用いることにより、前記隠し図柄が見やすくはなる。しかし、前記万線フィルムを用いなくても、前記隠し図柄を視認することは可能であり、意図された意外性や面白さ等が十分に発揮されているとは言えなかった。
【０００５】
本発明は、このような事情に鑑みてなされたもので、隠し図柄の発現に意外性のある、被観察体を提供しようとするものである。
【０００６】
【課題を解決するための手段】
前記課題を解決するため、本発明の一実施の形態に係る被観察体は、肉眼では視認困難な同一の微細図柄が面上の少なくとも一部に二次元的に多数配列されていて、レンズが二次元的に多数配列されている視認器具によって前記微細図柄と相似する拡大図柄が視認可能となるものである（請求項１）。
【０００７】
前記被観察体においては、肉眼では視認困難な同一の微細図柄が、前記面上に二次元的に多数配列されている。観察者が肉眼で見た場合には、個々の微細図柄を認識することは勿論、前記被観察体の前記面上に、前記微細図柄が二次元的に配列されていることさえも気づかれない。一方、前記視認器具を用いて前記被観察体を見た場合には、前記レンズの配列方向と前記微細図柄の配列方向とが所定の関係となったときに、前記微細図柄と相似する拡大図柄が観察者の目で認識可能となる。よって、前記拡大図柄の発現に十分な意外性がある。
【０００８】
前記被観察体の具体的な適用範囲は広く、例えば、玩具、販売促進用品、教材等のほか、広告手段や真偽判定手段としても用いることができる。広告手段として用いる場合には、例えば、前記被観察体に対して、前記視認器具を、変位自在に配設しておく。このようにすれば、前記微細図柄が見えたり消えたりを繰り返すので、大衆の注目を引き易く、大きな広告効果が得られる。また、真偽判定手段として用いる場合には、前記微細図柄を、あらかじめ真正品に二次元的に多数配列させておく。前記視認器具を用いて拡大図柄の有無をチェックすることにより、被検査物が真正品であるかどうかを容易に判別することができる。
【０００９】
本発明において、個々のレンズの大きさは、必ずしも同じでなくとも良い。同様に、個々の微細図柄の大きさも、必ずしも同じでなくても良い。さらに、レンズと微細図柄の大小関係は不問である。
【００１０】
また、本発明において、前記レンズの二次元的配列態様と、前記微細図柄の二次元的配列態様は、必ずしも互いに同一である必要はなく、前記レンズシートとの組み合わせで前記拡大図柄が表出可能なものであれば、互いに異なっていても良い。
【００１１】
さらに、本発明において、「微細図柄」とは、絵や図形だけでなく、文字も含むものとする。
【００１２】
好適な実施の一形態として、前記面上に、肉眼で視認可能な図柄を備え、該肉眼可視図柄を有する領域と前記微細図柄を有する領域の双方が、いずれも、イエロー、マゼンタ、シアン、ブラックの四色のうちの少なくとも一つの色版を用いて形成され、前記肉眼可視図柄を有する領域と前記微細図柄を有する領域を形成するための互いに異なる線数を合体させて作った版を印刷に使用して形成したものとすることもできる（請求項２）。
【００１３】
このようにすれば、前記視認器具を用いないときには、前記肉眼可視図柄のみが見え、前記視認器具を用いると、前記肉眼視認図柄に加えて、前記拡大図柄も見える。よって、芸術性が向上するとともに、面白みも増大して、好適である。加えて、前記肉眼可視図柄を有する領域と前記微細図柄を有する領域を形成するための互いに異なる線数を合体させて作った版を印刷して作るので、低コストで提供することができる。
【００１４】
好適な実施の一形態として、前記微細図柄が、二次元的に多数配列された第一の微細図柄と第二の微細図柄とからなり、前記第一の微細図柄と前記第二の微細図柄が、互いに重なり合うように配置されているものとすることもできる（請求項３）。このようにすれば、前記視認器具なしでの前記微細図柄の認識可能性は全く無くなる。それは、前記第一又は第二のいずれか一方の微細図柄だけでも、小さすぎて肉眼では視認困難であるのに、それに他方の微細図柄が重なり合うように配置され、両者が交錯した状態となっているからである。よって、前記拡大図柄発現の意外性が一層向上する。
【００１５】
前記構成は、前記視認器具なしでの前記微細図柄の認識可能性をほとんどゼロにせしめることから、前記被観察体を、偽造品検査手段等の真偽判定手段として用いる場合に、特に有効である。
【００１６】
好適な実施の一形態として、前記第一の微細図柄が、前記レンズの配列ピッチとは異なるピッチで配列され、前記第二の微細図柄が、前記レンズの配列ピッチと同一のピッチで配列され、さらに、前記第一の微細図柄の配列方向と前記第二の微細図柄の配列方向とが互いに同一とされたものとすることもできる（請求項４）。
【００１７】
この場合、前記視認器具を用いて前記被観察体を見たときには、前記第一の微細図柄の拡大図柄は視認できるが、その時には、前記第二の微細図柄の拡大図柄は全く見えない。
【００１８】
好適な実施の一形態として、前記第一の微細図柄の配列方向と前記第二の微細図柄の配列方向とが互いに異なっていて、前記第一の微細図柄が、前記視認器具を前記被観察体に対して第一の角度で組み合わせた時に視認可能となり、前記第二の微細図柄が、前記視認器具を前記第一の角度とは異なる第二の角度で前記被観察体に対して組み合わせた時に視認可能となるものとすることもできる（請求項５）。
【００１９】
この場合、前記被観察体上で前記視認器具を回転させて、前記被観察体に対する前記視認器具の組み合わせ角度を変えていくと、前記視認器具の配列方向と一致した配列の微細図柄のみが、拡大図柄として視認できる。よって、異なる図柄を探す楽しみが増す。
【００２０】
好適な実施の一形態として、前記第一の微細図柄が、前記レンズの配列ピッチより小さいピッチで配列され、前記第二の微細図柄が、前記レンズの配列ピッチより大きいピッチで配列されたものとすることもできる（請求項６）。この場合、前記視認器具で前記被観察体を見ると、前記第一の微細図柄の拡大図柄は引っ込んで見える一方、前記第二の微細図柄の拡大図柄は飛び出して見えるので、立体感が十分に楽しめる。
【００２１】
さらに、前記第一の微細図柄の配列方向と、前記第二の微細図柄の配列方向とを、互いに同一とすることもできる（請求項７）。このようにすれば、前記第一の微細図柄の拡大図柄と前記第二の微細図柄の拡大図柄の双方が、一方が引っ込み他方が飛び出した状態で同時に観察者の目に入るため、両者のコントラストにより、立体感がより強調される利点がある。
【００２２】
【発明の実施の形態】
以下、添付図面を参照して、本発明の好適な一実施の形態について説明する。
【００２３】
図１は、本実施の形態に係る被観察体としての図柄シート（図柄カード）の構成及び使用方法を示す平面図であり、（ａ）は、図柄シート自体の平面図、（ｂ）は、前記図柄シートと組み合わせて使用する隠し図柄視認器具としてのレンズシートの平面図、（ｃ）は、前記図柄シートに前記レンズシートを重ね合わせた状態を示す平面図である。図２は、前記レンズシートの一部拡大断面図である。
【００２４】
図１（ａ）に示すように、本実施の形態では、本発明に係る被観察体を、肉眼では見えない隠し図柄を有する図柄シート（図柄カード）１０として具体化してある。この図柄シート１０は、肉眼では視認困難な同一の微細図柄１１（図１の例では、「あ」の文字）が、面上の少なくとも一部に、二次元的に多数配列されたものである。そして、微細なレンズ２が二次元的に多数配列されている視認器具としてのレンズシート３（図１（ｂ）参照）を用いることによって、図１（ｃ）に示すように、前記微細図柄１１と相似する拡大図柄１１ａが視認可能となる。
【００２５】
図１（ａ）において、被観察体としての図柄シート１０の表面には、肉眼で視認可能な肉眼可視図柄４（一例として、バラの花）と、肉眼では視認困難な微細図柄１１が、印刷等の適宜の方法で形成されている。微細図柄１１は、絵、図形、文字のいずれでも良いが、図１の例では、肉眼では見えないほどきわめて小さい「あ」の文字を、縦横に二次元的に規則的に配列したものとされている。視認器具としてのレンズシート３を用いないで図柄シート１０を見ると、観察者には、肉眼可視図柄４のみが見え、微細図柄は、一つ一つが小さく、しかもきわめて小さなピッチで二次元的に配列されているので、微細図柄１１自体は勿論、それが図柄シート１０の表面にあることさえも、観察者には認識できない。
【００２６】
一方、図１（ｃ）に示すように、図柄シート１０にレンズシート３を重ねて上から観察すると、レンズシート３の作用によって、微細図柄１１と相似する拡大図柄１１ａが視認可能となる。レンズシート１０は透過性を有するので、図柄シート１０上に重ねても、肉眼可視図柄４の見え方は変わらない。
【００２７】
前記レンズシート３は、図１（ｂ）及び図２に示すように、一例として、透明なシート状基材５の表面に、多数のレンズ、具体的にはドーム状又は凸状のレンズ２を、縦横に二次元的に規則的に配列したものとされている。個々のレンズ２はきわめて小さいものであるが、その厚みＴＬが大きければ大きいほど、前記微細図柄１１の拡大視認性が向上する。凸レンズ２の配列ピッチＰ（Ｌ）も、隣接する凸レンズ同士が干渉し合わない範囲で、小さいことが望ましい。限定はされないが、一例として数値を与えるとすれば、例えば、凸レンズの厚みＴＬを６０μｍ、平面視での大きさ（直径）Ｄを４００μｍ、縦横の配列ピッチＰ（Ｌ）を５００μｍとすることができる。この場合、個々の凸レンズ２を網点と考えれば、凸レンズ２は、５０．８線（／インチ）で配列又は形成されていると言える。前記シート状基材５の厚みＴＢは、例えば、０．８〜１．２ｍｍとする。
【００２８】
なお、前記レンズシート３は、それ自体公知のものであり、例えば、プラスチック製等の透明なシート状基材５の表面に、スクリーン印刷の手法を用いて、紫外線硬化樹脂インク等の透明材料をドーム状に付着せしめることにより、前記凸レンズ２を形成することができる。
【００２９】
図１の例では、前記微細図柄１１の配列ピッチＰが、前記凸レンズ２の配列ピッチＰ（Ｌ）とは異なる大きさとされている。限定はされないが、具体的には、個々の微細図柄１１を網点と考えると、前記レンズシート３の凸レンズ２の線数を５０．８線とした場合、前記微細図柄１１は、前記凸レンズ２の線数より小さい、例えば、４４〜４９線（／インチ）、又は、前記凸レンズの線数より大きい、例えば、５２〜５５線（／インチ）で、配列又は形成することができる。なお、線数が大きいことは、二次元的配列ピッチが小さいことと同義であり、線数が小さいことは、二次元配列ピッチが大きいことと同義である。
【００３０】
一般に、レンズシートを用いて微細図柄を見る場合、レンズシートにおける凸レンズの配列ピッチと、図柄シートにおける微細図柄の配列ピッチと、の間の大小関係がどのようなものとなっているかにより、微細図柄の見え方が変わってくる。本発明の発明者等が、様々な態様の実物を作成して試験した結果、次の事実が確認できた。
【００３１】
（イ）微細図柄の配列ピッチが、凸レンズの配列ピッチより大きい場合には、凸レンズの配列方向と微細図柄の配列方向とが互いに一致するように両者を重ね合わせると、微細図柄の拡大図柄は、飛び出して見える。
【００３２】
（ロ）微細図柄の配列ピッチが、凸レンズの配列ピッチより小さい場合には、凸レンズの配列方向と微細図柄の配列方向とが互いに一致するように両者を重ね合わせると、微細図柄の拡大図柄は、引っ込んで見える。
【００３３】
（ハ）微細図柄の配列ピッチが、凸レンズの配列ピッチと同一である場合には、凸レンズの配列方向と微細図柄の配列方向とが互いに一致するように両者を重ね合わせると、微細図柄の拡大図柄は発現しない。
【００３４】
なお、本発明の発明者等の実験によれば、図柄シートに付された微細図柄をレンズシートで拡大図柄として視認し得るための条件として、レンズシートの個々のレンズの大きさは、必ずしも厳密に同じでなくとも良い。また、個々のレンズの平面形状は円形には限定されず、四角形や六角形等の他の形状であっても良い。同様に、個々の微細図柄の大きさも、必ずしも厳密に同じでなくても良い。さらに、個々のレンズと個々の微細図柄の大小関係も不問である。さらにまた、レンズ及び微細図柄の二次元的配列ピッチは、互いに直交する第一の方向（例えば縦方向）と第二の方向（例えば横方向）との間で、互いに同一とするのが普通であるが、必ずしも互いに同一でなくても良い。要するに、本発明においては、面上における肉眼では見えないほど小さな実質的に同一の微細図柄の集合を、面上における微細レンズの集合を通して見たときに、前記微細図柄と相似する拡大図柄が観察者の目に見えるものであれば良い。
【００３５】
前記図柄シート１０は、限定はされないが、例えば、次のようにして作成することができる。まず、前記肉眼可視図柄４を有する領域に対応する版を、イエロー、マゼンタ、シアン、ブラックの四色のうちの少なくとも一つの色版を用いて形成する。前記肉眼可視図柄４を形成する線数に限定はないが、印刷後、肉眼で見たときにその図柄が鮮明に美しく見える線数、例えば、１７５線（／インチ）等で作成することができる。
【００３６】
前記微細図柄１１を有する領域に対応する版も、イエロー、マゼンタ、シアン、ブラックの四色のうちの少なくとも一つの色版を用いて形成する。例えば、前記微細図柄を黒色で表示したい場合には、ブラックのフィルムに前記微細図柄を黒で表示すれば良い。一方、前記微細図柄１１を地色で表示したい場合には、使用する色のフィルムにおいて、前記微細図柄１１に対応する形状を抜けば良い。また、前記微細図柄１１を他の色彩で表示したい場合には、その色彩を得るのに必要な色のフィルムに、前記微細図柄１１を表示すれば良い。
【００３７】
次いで、前記肉眼可視図柄４を有する領域を形成するための線数と、前記微細図柄１１を有する領域を形成するための線数の、互いに異なる線数を合体させた版を作り、それを、例えば、オフセット印刷機にかけて、図柄シートを構成するための基材上に印刷する。このような作成方法によれば、互いに異なる線数を有する微細図柄１１部分と肉眼可視図柄４部分とが、一度の印刷で基材上に同時に印刷されるので、前記図柄シート１０を低コストで提供することができる。
【００３８】
前記図柄シート１０により、隠し図柄発現の意外性や多様性を楽しむことができるので、前記図柄シート１０は、おもちゃ、販売促進用品、教材等として用いることができる。しかし、本発明の適用範囲は、これらに限定されるものではなく、広告手段や偽造品検査手段（真偽判定手段）等として適用することもできる。
【００３９】
広告手段として用いる場合には、例えば、被観察体を大きく形成し、それに対して視認器具が重なったり外れたりを繰り返すように自動化しておく。このようにすれば、広告を見るものにとって、微細図柄が拡大図柄として見えたり消えたりするので、観者の興味や注目を引き易く、大きな広告効果が得られる。
【００４０】
また、偽造品検査手段として用いる場合には、微細図柄を、あらかじめ真正品に二次元的に多数配列させておく。視認器具を用いて拡大図柄発現の有無をチェックすることにより、被検査物が真正品であるかどうかを容易且つ確実に判別することができる。
【００４１】
次に、図３〜図５を参照して、本発明の他の実施の形態について説明する。
【００４２】
図３〜図５は、いずれも、本発明の他の実施の形態に係る図柄シート及びその使用方法を示す平面図である。以下、これらの図柄シートを見るためのレンズシートは、図１（ｂ）及び図２を参照して説明した前記のものと同じものとする。
【００４３】
図３〜図５に示す三つの図柄シート３０，４０，５０には、一つの共通点がある。すなわち、これらの図柄シート３０，４０，５０の表面には、それぞれの図の（ａ）に拡大状態で示されているように、肉眼では視認困難な同一の第一の微細図柄３１，４１，５１が二次元的に多数配列されるとともに、肉眼では視認困難な同一の第二の微細図柄３２，４２，５２も、二次元的に多数配列されている。しかも、前記第一の微細図柄３１，４１，５１と前記第二の微細図柄３２，４２，５２は、個々のものが互いに重なり合うように配置されている。このため、前記レンズシート３なしでの前記微細図柄の認識可能性は全く無くなる。すなわち、前記第一又は第二のいずれか一方の微細図柄だけでも、小さすぎて、それがあることさえも肉眼では視認困難であるのに、それに他方の微細図柄が重なり合うように配置され、両者が交錯した状態になっているからである。よって、図柄シート３０，４０，５０にレンズシート３を重ねて見た時の、図柄発現の意外性が一層向上し、玩具や販売促進用品としての使用に適している。
【００４４】
また、図３〜図５に共通の前記構成は、本発明に係る被観察体を  偽造品検査手段等の真偽判定手段として用いる場合にも、好適である。すなわち、真正品には、あらかじめ、第一の微細図柄と第二の微細図柄を、既に述べた前記条件を満たす態様で付しておく。第一の微細図柄と第二の微細図柄は、それぞれが肉眼では見えないほど微小なものである上に、それらが互いに重なり合うように配置されているから、偽造品製造者にとって、レンズシートなしで、真正品における微細図柄の存在及びその具体的形状を見破ることは、ほとんど不可能である。よって、真正品を真似た偽造品には、微細図柄は付し得ないことになる。被検査物が真正品であれば、検査者が前記レンズシートを用いて見ることにより、第一の微細図柄の拡大図柄を確認することができるが、被検査物が偽造品である場合には、何の図柄も発現しない。
【００４５】
なお、図３〜図５の例では、いずれも、微細図柄の種類を第一及び第二の二つとしているが、三つ以上としてもよいことは言うまでもない。
【００４６】
次に、図３〜図５の図柄シートのそれぞれに特有な構成について説明する。
【００４７】
図３（ａ）の図柄シート３０においては、第一の微細図柄３１として、数字の「２」が、前記凸レンズ２の配列ピッチＰ（Ｌ）とは異なるピッチＰ１で二次元的に配列されている。加えて、第二の微細図柄として、数字の「６」が、前記凸レンズ２の配列ピッチＰ（Ｌ）と同一のピッチＰ２で二次元的に配列されている。さらに、前記第一の微細図柄３１の配列方向と前記第二の微細図柄の配列方向とが、互いに同一とされている。
【００４８】
図３（ｂ）に示すように、図３（ａ）の図柄シート３０と前記レンズシート３を、凸レンズ２の配列方向と微細図柄３１，３２の配列方向とが互いに一致するように互いに重ね合わせると、第一の微細図柄３１としての数字の「２」のみが、拡大図柄３１ａとなって見える。第二の微細図柄３２としての数字の「６」は、全く見えない。これは、第二の微細図柄３２の配列ピッチと、前記レンズシート３の凸レンズ２の配列ピッチと、の関係が、前記（ハ）に該当するからである。
【００４９】
なお、図３の例では、第二の微細図柄３２としての数字の「６」は、レンズシート３を、図３（ｂ）の状態から少し斜めにすれば、拡大図形として発現する。これは、前記図柄シート３０と前記レンズシート３の組み合わせ角度を、微細図柄と凸レンズの配列方向が互いに少しだけずれるように変更することにより、前記第二の微細図柄３２の配列ピッチを、前記凸レンズ２の配列ピッチとは異ならせたことと同じ効果が得られるからである。
【００５０】
次に、図４（ａ）の図柄シート４０においては、第一の微細図柄４１として、数字の「２」が、レンズシート３における凸レンズ２の配列ピッチＰ（Ｌ）とは異なるピッチＰ１で二次元的に配列されている。同様に、第二の微細図柄４２として、数字の「６」が、レンズシート３における凸レンズ２の配列ピッチＰ（Ｌ）とは異なるピッチＰ２で二次元的に配列されている。しかし、前記第一の微細図柄４１の配列方向Ｘ１−Ｙ１と前記第二の微細図柄４２の配列方向Ｘ２−Ｙ２は、互いに異なっている。
【００５１】
その結果、前記第一の微細図柄４１は、前記レンズシート３を前記図柄シート４０に対して、図４（ｂ）に示す第一の角度で組み合わせた時に、拡大図柄４１ａとなって視認可能となる。一方、前記第二の微細図柄４２は、前記レンズシート３を、図４（ｃ）に示すように、前記第一の角度とは異なる第二の角度で前記図柄シート４２に対して組み合わせた時に、拡大図柄４２ａとして視認可能となる。
【００５２】
図４の図柄シート４０によれば、その面上に重ねたレンズシート３を回転させ、図柄シート４０に対するレンズシート３の組み合わせ角度を変えていくと、レンズシート３における凸レンズ２の配列方向と一致した配列の微細図柄のみが、拡大図柄として視認できる。よって、隠されている図柄を探す楽しみが増し、玩具や販売促進用品や教材として適用する場合に、好適である。
【００５３】
また、図４の構成は、本発明に係る被観察体を、広告手段として用いる場合にも、有効である。具体的には、例えば、前記条件を満たすように複数種類の微細図柄を付した広告を作成する。そして、前記レンズシート３に相当する視認器具を、前記広告の面上で自動的にゆっくりと回転するように配設する。このようにすれば、複数種類の図柄が時をおいて代わる代わる現れたり消えたりすることを繰り返すので、大衆の目を引き易く、大きな広告効果が得られる。
【００５４】
なお、図４の図柄シート４０において、前記第一の微細図柄４１の配列ピッチＰ１と、前記第二の微細図柄４２の配列ピッチＰ２は、互いに同じであっても違っていても良いし、それらと、前記レンズシート３における凸レンズ２の配列ピッチＰ（Ｌ）との大小関係も、等しくない限り、任意である。
【００５５】
次に、図５（ａ）の図柄シート５０においては、第一の微細図柄５１として、数字の「２」が、レンズシート３における凸レンズ２の配列ピッチＰ（Ｌ）より小さいピッチＰ１で配列されている。加えて、第二の微細図柄５２として、ハート形の図形が、レンズシート３における凸レンズ２の配列ピッチＰ（Ｌ）より大きいピッチＰ２で配列されている。さらに、前記第一の微細図柄５１の配列方向と、前記第二の微細図柄５２の配列方向とが、互いに同一とされている。
【００５６】
図５（ａ）の図柄シート５０と前記レンズシート３を、凸レンズ２の配列方向と微細図柄５１，５２の配列方向とが一致するように互いに重ね合わせると、図５（ｂ）に示すように、第一の微細図柄５１としての数字の「２」の拡大図柄５１ａと、第二の微細図柄５２としてのハート形の図形の拡大図柄５２ａの双方が、その配列方向に沿って互いの重合状態をごく僅かずつずらしながらも、互いに重なり合った状態で見える。しかも、第一の微細図柄５１としての数字の「２」の拡大図柄５１ａは引っ込んで見え、第二の微細図柄５２としてのハート形の図形の拡大図柄５２ａは飛び出して見える。これは、第一及び第二の微細図柄５１，５２の配列ピッチＰ１，Ｐ２と、前記レンズシート３の凸レンズ２の配列ピッチＰ（Ｌ）と、の関係が、前記（イ）及び（ロ）に該当するからである。
【００５７】
図５の図柄シート５０によれば、前記第一の微細図柄５１と前記第二の微細図柄５２が、互いに重なり合った状態で同時に発現する。引っ込んで見える拡大図柄５１ａと飛び出して見える拡大図柄５２ａとが同時に見えるので、それらの相互作用によって、立体感が一層強調される利点がある。
【図面の簡単な説明】
【図１】本発明の一実施の形態に係る被観察体としての、図柄シート（図柄カード）の構成及び使用方法を示す平面図であり、（ａ）は、図柄シート自体の平面図、（ｂ）は、前記図柄シートと組み合わせて使用する隠し図柄視認器具としてのレンズシートの平面図、（ｃ）は、前記図柄シートに前記レンズシートを重ね合わせた状態を示す平面図である。
【図２】図１（ｂ）のレンズシートの一部拡大断面図である。
【図３】本発明の他の実施の形態に係る図柄シート及びその使用方法を示す平面図であり、（ａ）は、図柄シート自体の平面図、（ｂ）は、図柄シートにレンズシートを重ね合わせた状態を示す平面図である。
【図４】本発明の他の実施の形態に係る図柄シート及びその使用方法を示す平面図であり、（ａ）は、図柄シート自体の平面図、（ｂ）は、図柄シートにレンズシートを第一の角度で重ね合わせた状態を示す平面図、（ｂ）は、図柄シートにレンズシートを第二の角度で重ね合わせた状態を示す平面図である。
【図５】本発明の他の実施の形態に係る図柄シート及びその使用方法を示す平面図であり、（ａ）は、図柄シート自体の平面図、（ｂ）は、図柄シートにレンズシートを重ね合わせた状態を示す平面図である。
【符号の説明】
２    レンズ（凸レンズ）
３    レンズシート（視認器具）
１０，３０，４０，５０    図柄シート（被観察体）
１１    微細図柄
３１，４１，５１    第一の微細図柄
３２，４２，５２    第二の微細図柄
Ｐ（Ｌ）  レンズシートにおけるレンズの配列ピッチ
Ｐ１      第一の微細図柄の配列ピッチ
Ｐ２      第二の微細図柄の配列ピッチ
【図１】
2004317636.tif 000003
【図２】
2004317636.tif 000004
【図３】
2004317636.tif 000005
【図４】
2004317636.tif 000006
【図５】
2004317636.tif 000007